(57)【要約】【課題】車両から携帯機を持ち出した者に対して迅速に携帯機の持ち出しを知らせるシステムを提供する。【解決手段】携帯機は、車載装置から定期的に（２〜３秒程度の通信時間間隔で）送信される確認信号を１０秒以内に受信したか否かを判定し（Ｓ２０１）、１０秒を超えても確認信号を受信していなければ（Ｓ２０１：ＮＯ）、メモリに記憶されているデータ（前回受信した確認信号の内容）に基づき、車両のアクセサリ電源の状態及び車速を判定する（Ｓ２０５）。そして、アクセサリ電源の状態がオンであり、かつ車速が時速５キロメートル以下と判定されれば（Ｓ２０５：ＹＥＳ）、本来受信しなければならないはずの確認信号を受信していないことになるので、警報装置をＮ秒間（例えば、３０秒間）鳴らして（Ｓ２０６）、処理を終了する。【選択図】図３
2010001642.tif 000002
【特許請求の範囲】
【請求項１】
車両に搭載される車載装置と、利用者が携帯する携帯機とを備え、前記車載装置と前記携帯機との間で無線通信を行う電子キーシステムであって、
前記車載装置は、
前記車両のアクセサリ電源のオン／オフ状態が少なくとも含まれた確認信号を所定の通信時間間隔で送信する確認信号送信手段を備え、
前記携帯機は、
前記車載装置から送信される前記確認信号を受信する確認信号受信手段と、
前記確認信号受信手段により受信された前記確認信号に基づき前記車両のアクセサリ電源のオン／オフ状態を判定する判定手段と、
前記判定手段により前記アクセサリ電源がオン状態であると判定されている状態で、前記確認信号受信手段により前記確認信号が所定の判定時間受信できない場合に報知動作を行う携帯機報知手段とを備えたこと
を特徴とする電子キーシステム。
【請求項２】
前記判定手段は、前記確認信号に基づく前記アクセサリ電源のオン／オフ状態を内部の記憶装置に記憶し、この記憶内容から前記アクセサリ電源のオン／オフ状態を判定することを特徴とする請求項１記載の電子キーシステム。
【請求項３】
前記車載装置は、
前記車両の走行速度を表す車速情報を取得する車速情報取得手段を備え、
前記確認信号送信手段は、前記車速情報取得手段により取得された前記車速情報を前記確認信号に含めて送信するとともに、前記車速情報に基づき前記車両の走行速度が予め定められた車速閾値を超えたと判定した場合に前記確認信号を少なくとも１回送信した後、前記確認信号の送信を停止し、
前記携帯機報知手段は、前記車速情報に基づき前記車両の走行速度が予め定められた前記車速閾値を超えたと判定した場合に報知動作を行わないこと
を特徴とする請求項１又は２記載の電子キーシステム。
【請求項４】
前記携帯機は、
前記確認信号受信手段により前記確認信号が受信されると前記車載装置に対し当該携帯機の存在を表す存在信号を返信する存在信号返信手段を備え、
前記車載装置は、
前記確認信号送信手段により送信された前記確認信号に対して前記携帯機から前記存在信号が返信されない場合に報知動作を行う車載装置報知手段を備えたこと
を特徴とする請求項１乃至３のいずれか記載の電子キーシステム。
【請求項５】
車両に搭載される車載装置と、利用者が携帯する携帯機とを備え、前記車載装置と前記携帯機との間で無線通信を行う電子キーシステムに用いる携帯機であって、
前記車載装置から所定の通信時間間隔で送信される、前記車両のアクセサリ電源のオン／オフ状態が少なくとも含まれた確認信号を受信する確認信号受信手段と、
前記確認信号受信手段により受信された前記確認信号に基づき前記車両のアクセサリ電源のオン／オフ状態を判定する判定手段と、
前記判定手段により前記アクセサリ電源がオン状態であると判定されている状態で、前記確認信号受信手段により前記確認信号が所定の判定時間受信できない場合に報知動作を行う携帯機報知手段とを備えたこと
を特徴とする携帯機。
【請求項６】
前記判定手段は、前記確認信号に基づく前記アクセサリ電源のオン／オフ状態を内部の記憶装置に記憶し、この記憶内容から前記アクセサリ電源のオン／オフ状態を判定することを特徴とする請求項５記載の携帯機。
【請求項７】
車両に搭載される車載装置と、利用者が携帯する携帯機とを備え、前記車載装置と前記携帯機との間で無線通信を行う電子キーシステムにおける携帯機としてコンピュータを機能させる携帯機用プログラムであって、
前記車載装置から所定の通信時間間隔で送信される、前記車両のアクセサリ電源のオン／オフ状態が少なくとも含まれた確認信号を受信する確認信号受信手段と、
前記確認信号受信手段により受信された前記確認信号に基づき前記車両のアクセサリ電源のオン／オフ状態を判定する判定手段と、
前記判定手段により前記アクセサリ電源がオン状態であると判定されている状態で、前記確認信号受信手段により前記確認信号が所定の判定時間受信できない場合に報知動作を行う携帯機報知手段としてコンピュータを機能させること
を特徴とする携帯機用プログラム。
【発明の詳細な説明】
【技術分野】
【０００１】
本発明は、車載装置と携帯機との間で無線通信を行う電子キーシステムに関する。
【背景技術】
【０００２】
近年、自動車関連技術の分野においては、車両に搭載される車載装置と、車両の利用者が所持する携帯機（電子キー）とを備えた電子キーシステムが実用化されている。この種の電子キーシステムでは、車載装置と携帯機との間で無線通信による認証が成立すれば、利用者は、機械式キーでの操作を行わなくても、ドアのロック／アンロック、車両のアクセサリ電源のオン／オフ、エンジン始動／停止などの操作ができる仕組みになっている。
【０００３】
ところで、このような電子キーシステムを採用した場合、利用者は機械式キーでの操作が不要となるため、車両のアクセサリ電源をオンにした後でも携帯機を車両の外に持ち出すことが可能となる。そのため例えば、利用者が、携帯機が入っていることを認識せずにドアの窓から鞄を渡した場合などは、その後運転者がエンジンを始動又は再始動させようとしても携帯機がないためエンジンを始動することができない事態が起きることになる。
【０００４】
従来、このような問題を解決する技術として例えば、特許文献１や特許文献２では、車載装置側から携帯機に送られる確認信号に対して、携帯機から存在信号が返信されているか否かを車載装置側で判定し、本来返信される信号がない場合に車載装置側で報知動作を行って携帯機の不存在を報知するというシステムが開示されている。
【特許文献１】特許第２５０７８１５号公報
【特許文献２】特開２０００−１０４４２９号公報
【発明の開示】
【発明が解決しようとする課題】
【０００５】
しかしながら、このような従来のシステムでは、車両から携帯機が持ち出されたとしても、車載装置側から携帯機の不存在が報知されるだけであったため、携帯機を持ち出した側では自分が携帯機を持ち出したことに気付かないという問題があった。
【０００６】
すなわち、従来のシステムで携帯機が車両の外に持ち出された場合、車載装置が警報等により報知動作を行うので車室内にいる者は携帯機の不存在に気付くことができるが、携帯機を鞄に入れたりして車両の外に持ち出して車両から離れようとしている者は自分自身が携帯機を持ち出したことを認識できない。そのため、携帯機を持ち出したことに気付かないまま車両から遠く離れて行ってしまう可能性があった。
【０００７】
本発明は、こうした問題を解決するためになされたものであり、車両から携帯機を持ち出した者に対して迅速に携帯機の持ち出しを知らせるシステムを提供することを目的とする。
【課題を解決するための手段】
【０００８】
上記目的を達成するためになされた請求項１記載の発明は、車両に搭載される車載装置と、利用者が携帯する携帯機とを備え、車載装置と携帯機との間で無線通信を行う電子キーシステムである。車載装置は、確認信号送信手段を備え、その確認信号送信手段は、車両のアクセサリ電源のオン／オフ状態が少なくとも含まれた確認信号を所定の通信時間間隔で送信する。携帯機は、確認信号受信手段、判定手段及び携帯機報知手段を備え、確認信号受信手段は、車載装置から送信される確認信号を受信し、判定手段は、確認信号受信手段により受信された確認信号に基づき車両のアクセサリ電源のオン／オフ状態を判定し、携帯機報知手段は、判定手段によりアクセサリ電源がオン状態であると判定されている状態で、確認信号受信手段により確認信号が所定の判定時間受信できない場合に報知動作を行う。
【０００９】
このような請求項１記載の発明によれば、車両のアクセサリ電源がオン状態であるにもかかわらず携帯機を車両の外に持ち出そうとした場合、携帯機により報知動作が行われるため、携帯機を持ち出した者が迅速にその事実を知ることができる。
【００１０】
請求項２記載の発明は、請求項１記載の電子キーシステムにおいて、判定手段は、確認信号に基づくアクセサリ電源のオン／オフ状態を内部の記憶装置に記憶し、この記憶内容からアクセサリ電源のオン／オフ状態を判定する。
【００１１】
このような請求項２記載の発明によれば、記憶装置の記憶内容に基づき車両のアクセサリ電源のオン／オフ状態を判定することができるため、アクセサリ電源がオフ状態であるにもかかわらず携帯機により報知動作が行われてしまうことを効果的に防ぐことができる。
【００１２】
請求項３記載の発明は、請求項１又は２記載の電子キーシステムにおいて、車載装置は、車速情報取得手段を備え、その車速情報取得手段は、車両の走行速度を表す車速情報を取得する。そして、確認信号送信手段は、車速情報取得手段により取得された車速情報を確認信号に含めて送信するとともに、車速情報に基づき車両の走行速度が予め定められた車速閾値を超えたと判定した場合に確認信号を少なくとも１回送信した後、確認信号の送信を停止し、携帯機報知手段は、車速情報に基づき車両の走行速度が予め定められた携帯側閾値を超えたと判定した場合に報知動作を行わない。
【００１３】
このような請求項３記載の発明によれば、車両がある走行速度を超えて走行しており、携帯機が車両の外に出る可能性が極めて低い状況下で、確認信号を送信したり、報知動作を行ったりする不要な処理をしないで済む。
【００１４】
請求項４記載の発明は、請求項１乃至３のいずれか記載の電子キーシステムにおいて、携帯機は、存在信号返信手段を備え、その存在信号返信手段は、確認信号受信手段により確認信号が受信されると車載装置に対し当該携帯機の存在を表す存在信号を返信する。そして、車載装置は、車載装置報知手段を備え、その車載装置報知手段は、確認信号送信手段により送信された確認信号に対して携帯機から存在信号が返信されない場合に報知動作を行う。
【００１５】
このような請求項４記載の発明によれば、車載装置側でも携帯機が車両の外に持ち出されたことを知ることができ、車載装置側でも対応が可能となる。
請求項５記載の発明は、車両に搭載される車載装置と、利用者が携帯する携帯機とを備え、車載装置と携帯機との間で無線通信を行う電子キーシステムに用いる携帯機であり、確認信号受信手段、判定手段及び携帯機報知手段を備える。確認信号受信手段は、車載装置から所定の通信時間間隔で送信される、車両のアクセサリ電源のオン／オフ状態が少なくとも含まれた確認信号を受信し、判定手段は、確認信号受信手段により受信された確認信号に基づき車両のアクセサリ電源のオン／オフ状態を判定し、携帯機報知手段は、判定手段によりアクセサリ電源がオン状態であると判定されている状態で、確認信号受信手段により確認信号が所定の判定時間受信できない場合に報知動作を行う。
【００１６】
このような請求項５記載の発明によれば、請求項１記載の発明と同様の効果を得ることができる。
請求項６記載の発明は、請求項５記載の携帯機において、判定手段は、確認信号に基づくアクセサリ電源のオン／オフ状態を内部の記憶装置に記憶し、この記憶内容からアクセサリ電源のオン／オフ状態を判定する。
【００１７】
このような請求項６記載の発明によれば、請求項２記載の発明と同様の効果を得ることができる。
請求項７記載の発明は、車両に搭載される車載装置と、利用者が携帯する携帯機とを備え、車載装置と携帯機との間で無線通信を行う電子キーシステムにおける携帯機としてコンピュータを機能させる携帯機用プログラムである。車載装置から所定の通信時間間隔で送信される、車両のアクセサリ電源のオン／オフ状態が少なくとも含まれた確認信号を受信する確認信号受信手段と、確認信号受信手段により受信された確認信号に基づき車両のアクセサリ電源のオン／オフ状態を判定する判定手段と、判定手段によりアクセサリ電源がオン状態であると判定されている状態で、確認信号受信手段により確認信号が所定の判定時間受信できない場合に報知動作を行う携帯機報知手段としてコンピュータを機能させる。
【００１８】
このような請求項７記載の発明によれば、請求項１記載の発明と同様の効果を得ることができる。
【発明を実施するための最良の形態】
【００１９】
以下、本発明が適用された実施形態について、図面を用いて説明する。
［１  構成］
図１は、本実施形態の電子キーシステムの全体構成を表すブロック図である。この電子キーシステムは、車両に搭載される車載装置１及び車両の利用者が所持する携帯機２を備えており、利用者の所持する携帯機２が車両周囲の無線通信エリア内に入ったときにドアのアンロック等の操作を可能にする機能（いわゆるスマートエントリー機能）と、携帯機２でのボタン操作に応じてドアのロック／アンロック等の制御を実行する機能（いわゆるリモートキーレスエントリー機能）とを兼ね備えたものである。また車載装置１には車速センサ３が接続されている。
【００２０】
車載装置１は、発信機４、チューナ５、制御ＥＣＵ６、警報装置７などを備えた電子キーシステム用の電子制御装置であり、車両のバッテリ電源（図示せず）又はアクセサリ電源（図示せず）から電源の供給を受け、アクセサリ電源のオン／オフ状態を検出する。
【００２１】
ここでバッテリ電源とは、バッテリに常時接続された電源ラインのことであり、アクセサリ電源とは、アクセサリスイッチ（図示せず）を介してバッテリに接続される電源ラインのことである。
【００２２】
発信機４及びチューナ５は、携帯機２と無線通信を行うための通信回路であり、制御ＥＣＵ６から送られる制御信号に従って、発信機４から携帯機２に対して確認信号（携帯機２の存在を確認するための信号）を、車室内をカバーする無線通信エリア（リモートキーレスエントリー機能等のための車両周囲の無線通信エリアよりも狭いエリア）内において定期的に送信し、確認信号を受信した（車室内に存在する）携帯機２から返信される存在信号（確認信号に対する応答信号）をチューナ５で受信する。
【００２３】
制御ＥＣＵ６は、内部にＣＰＵ８、メモリ９などを備える電子制御ユニットである。ＣＰＵ８は、メモリ９からデータを読み出したり、チューナ５でデータを受信したり、各種データ処理を実行したり、メモリ９に書き込んだり、発信機４から外部にデータを送信したり、警報装置７により警報を鳴らしたりする制御ユニットである。メモリ９は、車載装置１に対して利用者が行う各種設定や車速センサ３から取得した車速データ、各種演算データなどが記憶される磁気ディスクなどの固定記憶装置である。
【００２４】
警報装置７は、警報（アラーム）や音声など聴覚を通じて、又は、文字や画面表示など視覚を通じて警報を発するための装置である。ここでは例えば、警報を鳴らすように設定してあるものとする。
【００２５】
次に、携帯機２は、ＣＰＵ１０、メモリ１１、受信部１２、送信部１３、警報装置１４などを備えており、車両の利用者が携帯する。車両の利用者は携帯機２をポケットや手持ちの鞄などに入れるなどして携帯していれば、車両のドアをアンロックしたり、車両のアクセサリ電源をオンにしたり、イグニション電源をオンにしてエンジンを始動させたりすることができる。
【００２６】
ＣＰＵ１０は、携帯機２が行う、車載装置１との信号の送受信、データの書き込み／読み出しなどの各種の制御処理を行う制御装置である。
メモリ１１は、データを記憶させるための記憶装置であるが、ここでは特に、車載装置１から送信される確認信号に含まれる、アクセサリ電源のオン／オフ状態、車速データなどが記憶される。
【００２７】
受信部１２及び送信部１３は、携帯機２が車載装置１とデータ通信を行うための通信回路であり、車載装置１から送信される確認信号を受信部１２で受信し、携帯機２が存在することを意味する存在信号を車載装置１に送信部１３から返信する。
【００２８】
警報装置１４は、アラーム、音声、振動（バイブレータ）、ＬＥＤ、画面表示などにより、利用者に警告を発するための装置である。この携帯機２では、車両のアクセサリ電源がオンの状態であるにもかかわらず、携帯機２自体が車両の外に持ち出されたと判断された場合に、携帯機２を携帯している利用者に対して、警報を鳴らすなどして注意を喚起する。
【００２９】
車速センサ３は、車両の走行速度を検出する周知のセンサであり、その検出結果は、車速データとして、車載装置１に入力される。車載装置１ではこの車速データを確認信号に含めて発信機４から携帯機２に送る。
［２  処理］
次に、本実施形態の車載装置１及び携帯機２が実行する処理につきフローチャートを用いて説明する。
【００３０】
図２は、車載装置１の制御ＥＣＵ６が実行する処理を示すフローチャートである。制御ＥＣＵ６のＣＰＵ８が、アクセサリ電源がオンとされるタイミングで、このフローチャートの処理を開始する。
【００３１】
まずＳ１０１では、検出されるアクセサリ電源の状態がオンであり、かつ車速センサ３から得られる車速データに基づき車速が時速５キロメートル以下か否かを判定する。Ｓ１０１で、アクセサリ電源がオンであり、かつ車速が時速５キロメートル以下と判定すると（Ｓ１０１：ＹＥＳ）Ｓ１０２に進み、そうでなければ（Ｓ１０１：ＮＯ）、Ｓ１０９に進む。ここで時速５キロメートルは本発明の車速閾値にあたるものであるが、通常、車両から携帯機２が持ち出される可能性がないと考えられる速度で設定される。特に時速５キロメートルでなければならないというものではない。
【００３２】
Ｓ１０２では、発信機４から車室内に存在する携帯機２に対して確認信号を送信する。具体的には、照合に必要なデータ、アクセサリ電源がオンの状態にあることのデータ、車速センサ３から取得した車速データなどを含んだ確認信号を送信して、次のＳ１０３に進む。
【００３３】
Ｓ１０３では、Ｓ１０２で送信した確認信号に対して携帯機２から存在信号が返信されたか否かを判定する。携帯機２から存在信号が返信された場合（Ｓ１０３：ＹＥＳ）、Ｓ１０４に進み、携帯機２から存在信号が返信されない場合（Ｓ１０３：ＮＯ）、Ｓ１０６に進む。
【００３４】
Ｓ１０４では、警報装置７の警報（後述するＳ１０６の処理により鳴らされる）が鳴っているか否かを判定する（Ｓ１０４）。警報が鳴っていないと判定した場合（Ｓ１０４：ＮＯ）、最初の処理であるＳ１０１に戻り、警報が鳴っていると判定した場合（Ｓ１０４：ＹＥＳ）、いったんは携帯機２から存在信号が返信されず（Ｓ１０３：ＮＯ）、警報を鳴らしたが（Ｓ１０６）、その後携帯機２からの返信信号が存在したことになるので、警報装置７の警報を停止して（Ｓ１０５）、最初の処理であるＳ１０１に戻る。
【００３５】
つまり、Ｓ１０１〜Ｓ１０５が車室内に携帯機２が存在すると判定される場合に実行される通常の処理であり、このルーチンが２〜３秒程度の通信時間間隔で実行される。
Ｓ１０３で、携帯機２から存在信号が返信されない場合（Ｓ１０３：ＮＯ）、携帯機２が車室内（具体的には車室内をカバーする無線通信エリア内）にないことになるので、Ｓ１０６で警報装置７を鳴らし、次のＳ１０７に進む。
【００３６】
Ｓ１０７では、警報装置７により警報を鳴らし始めてからＮ秒間が経過したか否かを判定する（Ｓ１０７）。ここでＮ秒が経過していなければ（Ｓ１０７：ＮＯ）、最初の処理であるＳ１０１に戻り、Ｎ秒が経過していれば（Ｓ１０７：ＹＥＳ）、警報を停止して（Ｓ１０８）、処理を終了する。Ｎ秒は、利用者が図示しないボタンを操作することにより任意に設定できるが、例えば、３０秒程度に設定することが考えられる。ここで、警報装置７を鳴りっぱなしにしないのは、例えば、携帯機２の電池が切れた場合や故障の場合など予定していない事態になったときに、警報装置７が鳴り続けてしまうことの不都合を回避する理由からである。
【００３７】
最初のＳ１０１で、アクセサリ電源がオンであり、かつ車速が時速５キロメートル以下と判定しない場合（Ｓ１０１：ＮＯ）、すなわち、アクセサリ電源がオフとされたか、又は、車速が時速５キロメートルを超えた場合は、Ｓ１０９に進む。
【００３８】
Ｓ１０９では、車室内に存在する携帯機２に対して確認信号を送信する。具体的には、照合に必要なデータ、アクセサリ電源がオン又はオフの状態にあることのデータ、車速センサ３から取得した車速データなどを含んだ確認信号を送信して、次のＳ１１０に進む。ここではアクセサリ電源がオフの状態にあるか、又は、車速が時速５キロメートルを超えているかのうちいずれか一方のデータは必ず含んでいることになる。
【００３９】
Ｓ１１０では、警報装置７により警報が鳴っているか否かを判定する（Ｓ１１０）。Ｓ１１０で警報が鳴っていないと判定した場合（Ｓ１１０：ＮＯ）、処理を終了し、警報が鳴っていると判定した場合（Ｓ１１０：ＹＥＳ）、これ以上警報装置７を鳴らしておく必要はないので、警報装置７の警報を停止して（Ｓ１１１）、処理を終了する。
【００４０】
図３は、携帯機２のＣＰＵ１０が実行する処理を示すフローチャートである。このフローチャートは、アクセサリ電源がオフからオンになったタイミングで車載装置１から確認信号を受信して処理を開始する。
【００４１】
まずＳ２０１では、車載装置１から送信される確認信号（Ｓ１０２、Ｓ１０９に対応）を１０秒以内に携帯機２の受信部１２が受信したか否かが判定される。ここで受信する確認信号とは、具体的には、携帯機２の照合に必要なデータ、アクセサリ電源がオン又はオフの状態にあることのデータ、車速センサ３から取得した車速データなどを含んでいる。ここでいう１０秒は本発明でいう判定時間に相当しており、処理の開始時、又は前回の確認信号の受信時から計測を開始するものとし、さらに１０秒と設定したのは、車載装置１から送られる確認信号が２〜３秒程度の間隔であることから、便宜的に定めたものであり、特に１０秒でなければならないというものではない。確認信号を１０秒以内に受信していれば（Ｓ２０１：ＹＥＳ）、Ｓ２０２に進み、確認信号を１０秒を超えて受信していなければ（Ｓ２０１：ＮＯ）、Ｓ２０５に進む。
【００４２】
Ｓ２０２では、メモリ１１に記憶されているデータに基づき、電源状態がオンであり、かつ車速が時速５キロメートル以下か否かを判定する。なお、このデータは後述するＳ２０４でメモリ１１に記憶されるものであるが、処理の開始時には初期値として、アクセサリ電源がオンの状態及び車速が時速５キロメートル以下の車速データが記憶されているものとする。ここで、アクセサリ電源の状態がオンであり、かつ車速が時速５キロメートル以下であれば（Ｓ２０２：ＹＥＳ）、Ｓ２０３に進み、アクセサリ電源の状態がオフであるか、又は車速が時速５キロメートル以下でなければ（Ｓ２０２：ＮＯ）、処理を終了する。
【００４３】
Ｓ２０３では、携帯機２の送信部１３から存在信号を車載装置１に返信し、次のＳ２０４に進む。また時速５キロメートルは本発明の車速閾値にあたるものである。
Ｓ２０４では、アクセサリ電源がオン又はオフの状態及び車速データをメモリ１１に記憶して、最初の処理であるＳ２０１に戻る。
【００４４】
つまり、Ｓ２０１〜Ｓ２０４が車室内に携帯機２が存在する場合に実行される通常の処理であり、このルーチンが確認信号を受信するタイミング（Ｓ２０１）に合わせて実行されることになる。
【００４５】
Ｓ２０１で、確認信号を１０秒を超えても受信しなかったと判定した場合（Ｓ２０１：ＮＯ）、Ｓ２０５に進み、Ｓ２０５では、メモリ１１に記憶されているデータに基づき、アクセサリ電源の状態がオンであり、かつ車速が時速５キロメートル以下か否かを判定する。
【００４６】
メモリ１１に記憶されているデータに基づき、アクセサリ電源の状態がオンであり、かつ車速が時速５キロメートル以下と判定されれば（Ｓ２０５：ＹＥＳ）、本来受信しなければならないはずの確認信号を受信していないことになり車室内に携帯機２が存在しないと判断して、Ｓ２０６で、警報装置１４をＮ秒間（例えば、３０秒間）鳴らして、処理を終了する。
【００４７】
メモリ１１に記憶されているデータに基づき、アクセサリ電源の状態がオフか、又は車速が時速５キロメートルを超えたと判定されれば（Ｓ２０５：ＮＯ）、それ以上、確認信号が送信されてくることはないから、そのまま処理を終了する。
［３  効果］
本実施形態の電子キーシステムによれば、車両のアクセサリ電源がオン状態であるにもかかわらず携帯機２を車両の外に持ち出そうとした場合、携帯機２の警報装置１４から警告音がＮ秒間（例えば、３０秒間）鳴らされるため、携帯機２を持ち出そうとした利用者が迅速にその事実を認識することができる。
【００４８】
またアクセサリ電源のオン／オフ状態が確認信号に含めて送信され、携帯機２内のメモリ１１に記憶されるので、確実に携帯機２の持ち出しを判定することができる。
さらに、車両がある走行速度（例えば、時速５キロメートル）を超えたときは、車載装置でも携帯機でも警報を鳴らすための処理を終了するので（Ｓ１０１、Ｓ２０２、Ｓ２０５）、携帯機２が車両の外に出る可能性が極めて低い状況下で、確認信号を送信したり、報知動作を行ったりする不要な処理をしないで済む。
【００４９】
また、携帯機２からも存在信号を返信し（Ｓ２０３）、これを車載装置で確認して（Ｓ１０３）、返信がなければ警報を鳴らすので（Ｓ１０６）、車載装置側でも携帯機２が車両の外に持ち出されたことを知ることができ、車載装置側でも対応が可能となる。
［４  特許請求の範囲との対応関係］
なお、本実施形態の電子キーシステムの車載装置１において、Ｓ１０２及びＳ１０９を実行する制御ＥＣＵ６のＣＰＵ８が確認信号送信手段、携帯機２において、Ｓ２０１を実行するＣＰＵ１０が確認信号受信手段、Ｓ２０４を実行するＣＰＵ１０が電源状態記憶手段、Ｓ２０５及びＳ２０６を実行するＣＰＵ１０が携帯機報知手段にそれぞれ相当する。
【００５０】
また車載装置１において、Ｓ１０１を実行する制御ＥＣＵ６のＣＰＵ８が車速情報取得手段にそれぞれ相当する。
さらに、携帯機２において、Ｓ２０３を実行するＣＰＵ１０が存在信号返信手段、車載装置１において、Ｓ１０３及びＳ１０６を実行する制御ＥＣＵ６のＣＰＵ８が車載装置報知手段にそれぞれ相当する。
［５  他の実施形態］
以上、本発明の実施形態について説明したが、これらの実施形態に拘束されるものではなく、種々の形態を採り得ることは言うまでもない。
【００５１】
例えば、本実施形態では、車速が時速５キロメートルを超えると処理を終了するように構成したが、これは、車速がまた５キロメートル以下となった場合に、車載装置１と携帯機２との間の確認信号及び存在信号の送受信を再開して、警報を鳴らす処理をすることも考えられる。
【００５２】
また、本実施形態では、図３で示した携帯機のフローチャートにおけるＳ２０２で、メモリ１１に記憶されているデータ（つまり、前回受信した確認信号の内容）に基づき判定処理を行うようにしているが、これに限定されるものではなく、例えば、Ｓ２０１で車載装置１から受信した確認信号（つまり、今回受信した確認信号）の内容に基づき判定処理を行うようにしてもよい。このようにすれば、アクセサリ電源がオフにされた場合や、車速が時速５キロメートルを超えた場合には（Ｓ２０２：ＮＯ）、携帯機２の処理が直ちに終了されることとなる。したがって、アクセサリ電源がオン状態の期間中のみ携帯機２の処理が継続されることとなり、逆に言えば、携帯機２の処理が継続されている間はアクセサリ電源がオン状態でありかつ車速が時速５キロメートル以下の状態であるといえる。このためＳ２０４が不要となり、これに伴いＳ２０５も不要となる。
【００５３】
さらに、警報の種類としても、アラームを鳴らすことの他、音声でアナウンスしたり、ＬＥＤを点灯・点滅させたり、画面上で注意を促したり、振動で知らせたり、或いは他の装置に無線で信号を送信したりするなど様々な方法を採りうる。
【００５４】
警報を鳴らし続ける時間にしても、３０秒である必要はないし、また携帯機２の電池切れに対する対策が十分になされるなど、不都合が生じないならば、Ｎ秒間で停止させずに、正常な状態に回復するまで警報を鳴らし続ける構成にすることもできる。
【００５５】
携帯機２は、いわゆる電子キー（専用装置）でも実現できるし、携帯電話やＰＤＡなど、利用者が一般に所持する汎用の小型電子機器で通信機能を備えているものであれば、どのようなものでも実現できる。
【図面の簡単な説明】
【００５６】
【図１】実施形態の電子キーシステムの全体構成を示すブロック図である。
【図２】車載装置の制御ＥＣＵが実行する処理を示すフローチャートである。
【図３】携帯機のＣＰＵが実行する処理を示すフローチャートである。
【符号の説明】
【００５７】
１…車載装置、２…携帯機、３…車速センサ、４…発信機、５…チューナ、６…制御ＥＣＵ、７…警報装置、８…ＣＰＵ、９…メモリ、１０…ＣＰＵ、１１…メモリ、１２…受信部、１３…送信部、１４…警報装置
【図１】
2010001642.tif 000003
【図２】
2010001642.tif 000004
【図３】
2010001642.tif 000005